(57)【要約】  本体を有するゴルフクラブ用グリップが提供され、本体は、本体の長さに実質的に延びる軸方向通路、および本体の側壁を通り軸方向通路内に延びる空気通路を備え、ゴルフクラブのシャフトが軸方向通路内に進められるとき、空気が軸方向通路から漏れ出ることを可能にする。【選択図】図１
2018537228.tif 000002
【特許請求の範囲】
【請求項１】
ゴルフクラブ用グリップであって、
本体であって、
長手方向に延びる湾曲側面の対に各々接合した長手方向に延びる平行で平らな側面の対を備え、第１および第２の端部を有し、前記ゴルフクラブのシャフト用のグリップ部分を通り長手方向に延びる穴を有するグリップ部分と、
前記グリップ部分から離れる方向にテーパし、前記グリップ部分の前記第１の端部に隣接し、前記グリップ部分の穴と連通する前記穴を有するテーパ部分と、
前記グリップ部分の前記第２の端部に隣接する端部分と、を含む本体と、
前記グリップ部分を取り囲むラップであって、前記テーパ部分の隣接外側表面および前記端部分の隣接外側表面と実質的に同一平面である外側表面を有するラップと、を備え、
前記テーパ部分および前記端部分の各々が、前記グリップ部分の前記第１および第２の端部それぞれの近傍に、前記グリップ部分の断面積より大きい、断面積を有する、ことを特徴とするグリップ。
【請求項２】
前記端部分が、前記グリップ部分内の前記穴と連通し、かつ実質的に垂直なベント通路を有する、ことを特徴とする請求項１に記載のグリップ。
【請求項３】
前記端部分が、前記グリップ部分の前記第２の端部に隣接する第１の端部と、前記第１の端部から離間している第２の端部と、前記端部分を通り長手方向に延びる穴と、前記穴と連通し、かつ実質的に垂直なベント通路と、を有し、前記端部分の前記穴が前記グリップ部分の前記穴と連通している、ことを特徴とする請求項１に記載のグリップ。
【請求項４】
前記穴を塞ぐように前記第２の端部で前記グリップ部分に固定されたプラグをさらに含み、空気および／または溶媒が前記第２の端部における前記穴で漏れ出すことを抑制する、請求項３に記載のグリップ。
【請求項５】
前記グリップ部分の前記穴が第１の直径を有し、前記端部分の前記穴が前記第１の直径未満の第２の直径を有する、ことを特徴とする請求項３または４に記載のグリップ。
【請求項６】
前記グリップ部分と、前記テーパ部分と、前記端部分が、１つの部品である、ことを特徴とする請求項１ないし５のいずれか一項に記載のグリップ。
【請求項７】
前記グリップ部分と、前記テーパ部分とが、別の部品である、ことを特徴とする請求項１ないし５のいずれか一項に記載のグリップ。
【請求項８】
前記テーパ部分が、前記シャフトの周りに共に接続されるように構成された第１および第２の半体を含む、ことを特徴とする請求項７に記載のグリップ。
【請求項９】
前記テーパ部分が、前記グリップ部分に接するように構成された上部と、前記上部に接するように構成された底部と、を含む、ことを特徴とする請求項７に記載のグリップ。
【請求項１０】
前記上部が、前記シャフトの周りに共に接続するように構成された第１および第２の半体を含み、前記底部が、前記シャフトの周りに共に接続するように構成された第３および第４の半体を含む、ことを特徴とする請求項９に記載のグリップ。
【請求項１１】
前記上部が、前記底部に接するように構成された第１の端部と、前記グリップ部分の前記第１の端部に接するように構成された第２の端部と、を有し、前記上部の前記第１の端部が前記グリップ部分の前記第１の端部の幾何学的形状と合う幾何学的形状を有し、前記上部の前記第２の端部が実質的に円形の幾何学的形状を有する、ことを特徴とする請求項９または１０に記載のグリップ。
【請求項１２】
ゴルフクラブのグリップであって、
軸方向長さと、第１および第２の端部と、前記第１の端部における開口と、を有する細長本体と、
前記本体の前記長さに実質的に延びる前記本体内の軸方向通路であって、ゴルフクラブのシャフトが前記軸方向通路内に進められることを可能にするように、前記本体の前記第１の端部における前記開口で開いている第１の端部と、前記本体の前記第２の端部で閉じている第２の端部と、を有する通路と、
前記本体の側壁を通り前記軸方向通路内に延びる空気通路であって、前記ゴルフクラブの前記シャフトが前記軸方向通路内に進められるとき、空気が前記軸方向通路から漏れ出ることを可能にする通路と、を含むことを特徴とするゴルフクラブのグリップ。
【請求項１３】
前記空気通路が、前記本体の前記第２の端部に近接している、ことを特徴とする請求項１２に記載のゴルフクラブのグリップ。
【請求項１４】
前記空気通路が、前記軸方向通路に実質的に垂直である、ことを特徴とする請求項１２または１３に記載のゴルフクラブのグリップ。
【請求項１５】
前記軸方向通路が、前記ゴルフクラブの前記シャフトの直径に実質的に等しい第１の直径を有する第１の部分と、前記第１の直径未満の第２の直径を有する第２の部分と、を含む、ことを特徴とする請求項１２ないし１４のいずれか一項に記載のゴルフクラブのグリップ。
【請求項１６】
前記本体の前記第２の端部に固定されるプラグをさらに含み、前記軸方向通路の前記第２の端部を閉じる、ことを特徴とする請求項１２ないし１５のいずれか一項に記載のゴルフクラブのグリップ。
【請求項１７】
前記細長本体が、前記軸方向通路の前記第２の端部が開いている、前記第２の端部における開口部を含み、前記プラグが前記本体の前記第２の端部を閉じる、ことを特徴とする請求項１６に記載のゴルフクラブのグリップ。
【請求項１８】
前記細長本体は前記第１の端部でテーパしている、ことを特徴とする請求項１２ないし１７のいずれか一項に記載のゴルフクラブのグリップ。
【請求項１９】
前記細長本体が、第１の断面積を備える第１の部分と、第２の断面積を備える前記第１の端部に近接した第２の部分と、第３の断面積を備える前記第２の端部に近接した第３の部分と、を有し、前記第２および第３の部分の前記断面積が前記第１の部分の前記断面積より大きい、ことを特徴とする請求項１２ないし１８のいずれか一項に記載のゴルフクラブのグリップ。
【請求項２０】
前記第２および第３の断面積が等しい、ことを特徴とする請求項１９に記載のゴルフクラブのグリップ。
【請求項２１】
グリップであって、
軸方向長さと、第１および第２の端部と、前記第１の端部における開口と、を有する実質的にオブラウンド形状の細長本体と、
前記本体の前記軸方向長さに実質的に延びる前記本体内の軸方向通路であって、前記本体の前記第１の端部における前記開口で開いている第１の端部と、空気が前記第２の端部で漏れ出ることを抑制するように閉じる第２の端部と、を有する通路と、
前記本体の前記第２の端部と隣接する前記本体の側壁を通り前記軸方向通路内に延びる空気通路であって、空気が前記軸方向通路から漏れ出ることを可能にする空気通路と、を含むことを特徴とするグリップ。
【請求項２２】
ゴルフクラブのシャフト上にパターのグリップを取り付ける方法であって、前記パターのグリップは本体の長さに実質的に延びる軸方向通路を備える前記本体と、前記本体の側壁を通り軸方向通路内に延びる前記空気通路と、を含み、前記方法は、
両面テープを前記ゴルフクラブの前記シャフトに貼着することと、
前記テープを溶媒でコーティングすることと、
前記溶媒を前記軸方向通路内に注入することと、
前記シャフトを前記軸方向通路内に挿入することと、
前記シャフトの端部が前記軸方向通路内のショルダに接するまで前記シャフトを前記軸方向通路を通り進めることと、を含み、
前記シャフトが前記軸方向通路を通り進められるとき、空気が前記本体の前記側壁内の前記空気通路から漏れ出る、ことを特徴とする方法。
【発明の詳細な説明】
【技術分野】
【０００１】
［関連出願］
本願は、２０１５年１２月１４日に出願された米国仮特許出願第６２／２６７，０１６号、および２０１６年３月１８日に出願された米国仮特許出願第６２／３１０，１５１号の利点を請求し、参照によって本願に組み込まれるものとする。
【０００２】
［技術分野］
本発明は、一般にグリップに関連し、および、特に、パター用のゴルフクラブのグリップに関連する。
【背景技術】
【０００３】
ゴルフクラブのグリップ、および、特に、パターのグリップは、種々の形状および寸法で提供され得る。パターのグリップは、ゴルフクラブのシャフト上に取り付けられ、および任意の適切な方法で固定される。ゴルファーは、伝統、クロスハンド、ソー、およびクローのような、パターのグリップ上のゴルファーの手の位置決めのときに、種々のグリップ配置を使用し得る。
【発明の概要】
【０００４】
本願は、本体を有するパターのようなゴルフクラブ用のグリップを提供し、本体は、本体の長さに実質的に延びる軸方向通路と、本体の側壁を通り軸方向通路内に延びる空気通路と、を備え、ゴルフクラブのシャフトが軸方向通路内に進められるとき、空気が軸方向通路から漏れ出ることを可能にする。
【０００５】
実施形態において、長手方向に延びている湾曲側面の対に各々接合されている長手方向に延びている平行で平らな側面の対を備え、第１および第２の端部を有し、およびゴルフクラブのシャフト用のグリップ部分を通り長手方向に延びる穴を有するグリップ部分と、グリップ部分から離れる方向にテーパし、グリップ部分の第１の端部に隣接し、およびグリップ部分の穴と連通している穴を有するテーパ部分と、グリップ部分の第２の端部に隣接した端部分と、グリップ部分を取り囲むラップであって、テーパ部分の隣接外側表面および端部分の隣接外側表面と実質的に同一平面の外側表面を有するラップと、を含み、テーパ部分および端部分の各々は、グリップ部分の第１および第２の端部それぞれの近傍に、グリップ部分の断面積より大きい、断面積を有する、ゴルフクラブ用のグリップが提供され得る。
【０００６】
別の実施形態において、軸方向長さと、第１および第２の端部と、第１の端部における開口と、を有する細長本体と、本体の長さに実質的に延びる本体内の軸方向通路であって、ゴルフクラブのシャフトが軸方向通路内に進められることを可能とする、本体の第１の端部における開口で開いている第１の端部と、本体の第２の端部で閉じられている第２の端部と、を有する通路と、ゴルフクラブのシャフトが軸方向通路内に進められるときに空気が軸方向通路から漏れ出ることを可能とする、軸方向通路内に本体の側壁を通り延びる空気通路と、を含む、ゴルフクラブのグリップが提供され得る。
【０００７】
さらに別の実施形態において、軸方向長さと、第１および第２の端部と、第１の端部における開口と、を有する実質的にオブラウンド形状の細長本体と、本体の軸方向長さに実質的に延びる本体内の軸方向通路であって、本体の第１の端部における開口で開いている第１の端部と、第２の端部で空気が漏れ出ることから抑制する閉じられる第２の端部と、を有する通路と、本体の第２端部に隣接する本体の側壁を通り軸方向通路内に延びる空気通路であって、空気が軸方向通路から漏れ出ることを可能にする、空気通路と、を含む、グリップが提供される。
【０００８】
出願の前述および他の特徴は、図面を参照して以下に記載される。
【図面の簡単な説明】
【０００９】
【図１】図１は代表的なゴルフクラブのグリップの斜視図である。
【図２】図２はグリップの別の斜視図である。
【図３】図３はグリップの上面図である。
【図４】図４はグリップの下面図である。
【図５】図５はグリップの右側面図である。
【図６】図６はグリップの左側面図である。
【図７】図７はグリップの前面図である。
【図８】図８はグリップの背面図である。
【図９】図９は図８の線９−９に関して取られた断面図である。
【図１０】図１０は端部プラグが取り除かれた別の断面図である。
【図１１】図１１はラップが取り除かれたグリップの斜視図である。
【図１２】図１２はラップが取り除かれたグリップの下面図である。
【図１３】図１３はラップが取り除かれたグリップの背面図である。
【図１４】図１４はゴルフクラブのグリップが取り付けられたパターの斜視図である。
【図１５】図１５は代表的なグリップのアクセサリの斜視図である。
【図１６】図１６はグリップのアクセサリの前面図である。
【図１７】図１７はグリップのアクセサリの背面図である。
【図１８】図１８はグリップのアクセサリの上面図である。
【図１９】図１９はグリップのアクセサリの下面図である。
【図２０】図２０はグリップのアクセサリの左側面図である。
【図２１】図２１はグリップのアクセサリの右側面図である。
【図２２】図２２はゴルフクラブのグリップとグリップのアクセサリの前面図である。
【図２３】図２３は別の代表的なグリップのアクセサリの斜視図である。
【図２４】図２４は図２３のグリップのアクセサリの分解図である。
【図２５】図２５はさらに別の代表的なグリップのアクセサリの斜視図である。
【図２６】図２６はさらに別の代表的なグリップのアクセサリの斜視図である。
【図２７】図２７はさらなる代表的なグリップアのクセサリの斜視図である。
【発明を実施するための形態】
【００１０】
本願の仕組みは、パターのようなゴルフクラブ用のグリップに関連し、およびこの文脈においては以下に記載されることになる。本願の仕組みは、野球、テニス等のような他の活動用のグリップに適用可能であり得ることは理解されることになるだろう。
【００１１】
次に、図１−１３を見ると、ゴルフクラブのグリップが、参照番号１０で概して示されている。グリップは、本体１２、および本体の一部分を取り囲むラップ１４を含んでいる。代替的に、グリップ１０が１つの部品として形成され得ることは理解されることになるだろう。本体１２は、ゴルファーに握る範囲を提供するグリップ部分１６と、取り出すときゴルフバッグ内で引っ掛かることからグリップ１０を抑制するテーパ部分１８と、端部分２０と、を含んでいる。グリップ部分１６と、テーパ部分１８と、端部分２０とは、例えば、図１−１３に示されるように、１つの部品として形成され得、および金型内に射出されたＥＶＡフォームのような任意の適切な材料で形成され得る。代替的に、グリップ部分１６、テーパ部分１８、および／または端部分２０は、例えば、図２２に示されるように、別個の部品として形成される。
【００１２】
図１１−１３に示されるように、グリップ部分１６は、第１および第２の端部３０および３２、および、長手方向に延びる湾曲側面３８および４０の対にそれぞれ接合されている長手方向に延びる平行で平らな側面３４および３６の対を有している。グリップ部分１６は、また、第１および第２の端部３０および３２にそれぞれ、第１および第２の溝４２および４４を含んでいる。端部視から見たときのグリップ部分１６は、実質的にオブラウンドまたはダブルＤ形状であり、グリップ部分は、各端部上に等しい長さの２つの平行線、および、弦が全直径または全直径未満のいずれかである２つの円弧を有している。示されるように、弦は全直径未満である。図１４に示されるように、パター５０のシャフト５２上に取り付けられるとき、平行で平らな側面３４および３６は、パター５０のパターヘッド５６の面５４の平面に平行であり、ユーザによって握られたとき、パター面５４およびユーザの手および肩は、標的線に対してスクエアである。グリップのデザインは、ユーザが、伝統、クロスハンド、ソー、およびクローなどのような、好ましい方法でパターを握ることを可能にする。
【００１３】
テーパ部分１８は、グリップ部分１６の第１の端部に隣接し、および第１および第２の端部６０および６２、および取り付けの間、グリップ１０をパター５０と整列させるためのアライメントデバイス６４を含んでいる。テーパ部分１８は、第２の端部６２から第１の端部６０にグリップ部分から離れる方向にテーパする。端部分２０は、グリップ部分１６の第２の端部に隣接し、および第１および第２の端部６６および６８を含んでいる。テーパ部分１８および端部分２０の端部視は、また、実質的にオブラウンドまたはダブルＤ形状である。
【００１４】
その第２の端部６２におけるテーパ部分１８およびその第１の端部６６における端部分２０は、グリップ部分１６の断面積より大きい断面積をそれぞれ有している。このように、ラップ１４は、本体１２に取り付けられ、グリップ部分１６を取り囲むとき、ラップ１４の外側表面は、テーパ部分１８の第２の端部６２および端部分２０の第１の端部６６と実質的に同一平面になる。ラップは、図４の参照番号７０によって示されるように、ラップのステッチング側面合わせによってのような任意の適切な方法でグリップ部分１６の周りに固定され得、およびラップ１４の端部は、グリップ部分１６の第１および第２の溝４２および４４に受容され、およびその端部でラップ１４のフレアを抑制するために接着剤によって固定される。代替的に、ラップは、本体１２上で滑る、または転がるラバーグリップ、または加熱または溶融することで接合され、それから本体１２上に引っ張られる、端部を有するラバーグリップであり得る。
【００１５】
図９および１０に示されるように、本体１２は、穴８０または本体１２内で、かつ本体１２の長さに延びる軸方向通路を含んでいる。穴は、テーパ部分１８の第１の端部６０における開口８４で開いている第１の端部８２、および閉じている第２の端部８６を有する。例えば、穴８０は、図１０に示されるように、端部分２０の第２の端部６６における開口８８で開いており、および図９に示されるように、プラグ９０によって閉じられており、および詳細は以下で述べられる。
【００１６】
穴８０は、第１の穴１００、または、ゴルフクラブ５０のシャフト５２を受容するためのグリップ部分１６およびテーパ部分１８を通り長手方向に延びる軸方向通路、および、第２の穴１０２、または、グリップ部分１６および端部分２０の一部を通り長手方向に延びる軸方向通路を含んでいる。第１の穴１００は、第２の穴１０２と連通している。第１の穴１００は、シャフト５２の直径と実質的に等しい第１の直径を有し、および第２の穴１０２は、第１の直径未満の第２の直径を有している。第１の穴１００は、テーパ部分１８内のテーパ穴部分１０４、およびグリップ部分１６内のグリップ穴部分１０６を含み、および第２の穴１０２は、グリップ部分１６内のグリップ穴部分１０８および端部分２０内の端穴部分１１０を含んでいる。
【００１７】
ショルダ１２０は、第１の穴１００の端部を画定し、かつゴルフクラブ５０のシャフト５２の端部のためのストップとしてつとめる、グリップ部分１６の第２の端部３２の近傍の第１の穴１００のグリップ穴部分１０６に提供される。座ぐり１２２は、第２の穴１０２、および、特に第２の穴１０２の端穴部分１１０と連通している第２の端部６８で端部分２０内に提供される。座ぐり１２２および端穴部分１１０は、第２の穴１０２を閉じ、流体が端部分２０で漏れ出すことから抑制するプラグ９０を受容する。プラグ９０は、座ぐりを閉じるように、座ぐり１２２の幾何学形状と合う幾何学形状を備える第１の部分９２、および端穴部分１１０の幾何学形状と合う幾何学形状を備える第２の部分９４を有している。示されているように、座ぐり１２２は、実質的にオブラウンドまたはダブルＤ形状であり、プラグ９０の第１の部分９２は、実質的にオブラウンドまたはダブルＤ形状であり、およびプラグ９０の第２の部分９４は、実質的に円筒状である。代替的に、第２の穴１０２は、第２の端部６８の外に延び、および座ぐりが取り除かれ得る、またはグリップは、第２の端部６８で閉じられ、およびプラグ９０が取り除かれ得る。
【００１８】
パター５０のシャフト５２が穴８０中に勧められるとき、流体が端部分２０で漏れ出ることを可能とするために、端部分２０は端穴部分１１０と連通しているベント通路１２６を含んでいる。ベント通路１２６は、開口１３０に通じ、端部分２０の側壁１２８を通り端穴部分１１０内に延びており、および、示されるように、ベント通路１２６は、端穴部分２０に対して実質的に垂直である。プラグ９０の第２の部分９４は端穴部分１１０とベント通路の連通を塞ぐために、プラグ９０の第２の部分９４は寸法を合わせて作られ、および、プラグ９０の第２の部分９４はグリップ１０が取り付けられているとき集まる溶媒のため、第２の端６８の方にベント通路１２６を通り過ぎる領域を提供しないように、プラグ９０の第２の部分９４は寸法を合わせて作られている。穴１０２と同軸のグリップ６８の端部を通るよりむしろ、グリップ１０の側壁１２８内にベント通路１２６を提供することによって、プラグ９０は、印のための途切れない領域を提供し得、開口１３０は、クラブの端部でのときより指で覆いやすくなり、および開口１３０を通るスプレイは、インストーラに向けられない。
【００１９】
図１４を参照すると、グリップ１０をパター５０上に取り付けるため、両面テープがシャフト５２の端部に接着され、それから溶媒が、テープに提供され、かつテーパ部分１８内の開口８４内に注入される。開口８４および１３０は、それから覆われ、およびグリップ１０は、溶媒で穴をコートするように振り動かされる。シャフト５２は、それから、シャフト５２の端部がショルダ１２０に接するまで、第１の穴１００を通り長手方向に開口８４を通り進められる。シャフト５２が進められるとき、過剰の溶媒および空気は、第１および第２の穴１００および１０２を通り抜け、およびベント通路１２６の開口１３０を介してグリップ１０から出る。側面３０および３２が面５４に平行となるように、グリップ１０も、例えば、アライメントデバイス６４を使用して、パター５０の面５４と整列させられる。
【００２０】
次に、図１５−２１を見ると、グリップのテーパ部分の代表的な実施形態が２１８で示されている。テーパ部分２１８は、上述のテーパ部分１８と実質的に同じであり、そのため、２００によってインデックス化されているが同じ参照番号が、部分の同じ構造に相当する構造を表示するために使用されている。なお、テーパ部分１８の先の記載は、以下の特記を除き、テーパ部分２１８に等しく適用可能である。
【００２１】
次に、図１５および２２を参照すると、テーパ部分２１８は、別体の部品として、ラップ２１４および端部分２２０によって取り囲まれたグリップ部分を含む、グリップ２１０のグリップ本体２１２から形成され、または代替え的に、グリップ本体は別体のラップおよび端部分なしに１つの部品設計であり得る。グリップ本体は、上述のようにパター上に取り付けられ得、それから、テーパ部分２１８は、グリップ本体２１２、および／またはパターのシャフトに取り付けられ得る。テーパ部分２１８は、ゴルフバッグ内で引っ掛かることから、グリップ本体２１２の第１の端部での大きな平面を抑制する。
【００２２】
テーパ部分２１８は、丸い幾何学的形状を備える第１の端部２６０、およびグリップ本体２１２の幾何学的形状に実質的に合う幾何学的形状を備えるグリップ本体２１２の第１の端部に隣接する第２の端部２６２、およびテーパ部分２１８を通り延びる穴３０４を有する。テーパ部分２１８は、第２の端部２６２から第１の端部２６０にグリップ本体２１２から離れる方向にテーパする。テーパ部分２１８は、穴３０４を確定するように、パターのシャフト周りに共に接続される第１および第２の半体を含んでいる。半体３４０および３４２は、プラスチックのような適切な材料で作製され得、および、テーパ部分２１８が種々の外径のパターシャフト上に合うことができるように、取付の間に圧縮するフォームのような適切な材料であり得、図１８および１９に示される、ライニング３４４および３４６でそれぞれライニングされ得る。
【００２３】
第１および第２の半体３４０および３４２は、半体３４０および３４２がグリップ２１０からシャフトに滑らかな外径および滑らかな移行を有することを可能とする、第１の半体の中の座ぐり３５２および３５４内にそれぞれ受容された留め具３４８および３５０によってパターの周りに接続され得る。代替的に、半体は、接着、スナッピング特徴部、ツイストロック等によって接続され得る。テーパ部分２１８の長さは、例えば、層を剥がすこと、部分を折ること、延長層を除去すること等によって、第２の端部２６２におけるテーパ部分２１８の直径を増加または減少させるように調節され得、およびこれらの部分は、再取付され得る。
【００２４】
次に、図２３および２４を見ると、グリップのテーパ部分の代表的な実施形態が４１８で示されている。テーパ部分４１８は、上述のテーパ部分２１８と実質的に同じであり、そのため、２００によってインデックス化されているが同じ参照番号が、部分の同じ構造に相当する構造を表示するために使用されている。なお、テーパ部分２１８の先の記載は、以下の特記を除き、テーパ部分４１８に等しく適用可能である。
【００２５】
テーパ部分４１８は、パターのシャフトの周りに共に接続された第１および第２の半体５４０および５４２を有する底部、およびパターのシャフトの周りに共に接続された第３および第４の半体５６０および５６２を有する上部を含んでいる。第１および第２の半体５４０および５４２は、第１および第２の端部５６４および５６６を有し、および、第３および第４の半体５６０および５６２は、第１および第２の半体５４０および５４２の第２の端部５６６と係合し、かつ接する第１の端部５６８、およびグリップの幾何学的形状と実質的に合う幾何学的形状を備えるグリップの第１の端部に隣接する第２の端部５７０を有する。第１、第２、第３、および第４の半体５４０、５４２、５６０、５６２は、テーパ部分４１８を通り延びる穴５０４を画定する。第３および第４の半体は、丸、二等辺正五角形、正方形等のような第２の端部５７０において任意の適切な幾何学形状、および第１の端部５６８において丸い幾何学形状を有し得る。
【００２６】
第１および第２の半体５４０および５４２は、留め具５４８および５５０によってパターの周りに接続され得る。留め具５４８は、第１の半体の中の座ぐり５５２内、および第２の半体５４２の中の開口５５６内に受容され、および留め具５５０は、第１の半体５４０内の座ぐり（示さず）内、および第２の半体５４２内の開口５５８内に受容される。第１および第２の半体５４０および５４２内に留め具を提供することによって、第１および第２の半体は、変化する幾何学形状の第３および第４の半体と使用され得る。
【００２７】
第３および第４の半体５６０および５６２は、パズルピース様式で第３の半体内に相当する角度付けられたスロット５７４に受容される第４の半体上に角度付けられた突起５７２によってパターの周りに接続され得る。一度接続された第３の半体５６０は、第２の端部５６４における第１の半体５４０内のスロット５７８内に受容される第１の端部５６８における第３の半体５６０から下方に突出する突起５７６によってのような、機械的特徴部によって第１の半体５４０に固定される。
【００２８】
次に、図２５−２７を見ると、テーパ部分の代表的な実施形態が６１８、７１８、および８１８でそれぞれ示されている。テーパ部分６１８、７１８および８１８は、上述のテーパ部分４１８と実質的に同じであり、そのため、２００、３００および４００によってインデックス化されているが同じ参照番号が、部分の同じ構造に相当する構造を表示するために使用されている。なお、テーパ部分４１８の先の記載は、以下の特記を除き、テーパ部分６１８、７１８および８１８に等しく適用可能である。
【００２９】
図２５は、二等辺正五角形の幾何学形状を有する第２の端部を備えるテーパ部分６１８を示し、図２６は、長方形の幾何学形状を有する第２の端部を備えるテーパ部分７１８を示し、および図２７は、正方形の幾何学形状を有する第２の端部を備えるテーパ部分８１８を示している。
【００３０】
ある実施形態が示され、および記載されたが、本発明の範囲内に含まれる均等物および変更物が、本願明細書を読むこと、および理解することで当業者であれば想到するであろうことは理解される。
【図１】
2018537228.tif 000003
【図２】
2018537228.tif 000004
【図３】
2018537228.tif 000005
【図４】
2018537228.tif 000006
【図５】
2018537228.tif 000007
【図６】
2018537228.tif 000008
【図７】
2018537228.tif 000009
【図８】
2018537228.tif 000010
【図９】
2018537228.tif 000011
【図１０】
2018537228.tif 000012
【図１１】
2018537228.tif 000013
【図１２】
2018537228.tif 000014
【図１３】
2018537228.tif 000015
【図１４】
2018537228.tif 000016
【図１５】
2018537228.tif 000017
【図１６】
2018537228.tif 000018
【図１７】
2018537228.tif 000019
【図１８】
2018537228.tif 000020
【図１９】
2018537228.tif 000021
【図２０】
2018537228.tif 000022
【図２１】
2018537228.tif 000023
【図２２】
2018537228.tif 000024
【図２３】
2018537228.tif 000025
【図２４】
2018537228.tif 000026
【図２５】
2018537228.tif 000027
【図２６】
2018537228.tif 000028
【図２７】
2018537228.tif 000029
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ゴルフクラブ用グリップであって、
本体であって、
長手方向に延びる湾曲側面の対に各々接合した長手方向に延びる平行で平らな側面の対を備え、第１および第２の端部を有し、前記ゴルフクラブのシャフト用のグリップ部分を通り長手方向に延びる穴を有するグリップ部分と、
前記グリップ部分から離れる方向にテーパし、前記グリップ部分の前記第１の端部に隣接し、前記グリップ部分の穴と連通する前記穴を有するテーパ部分と、
前記グリップ部分の前記第２の端部に隣接する第１の端部と、前記第１の端部から離間している第２の端部と、端部分を通り長手方向に延びる穴と、前記穴と連通し、かつ実質的に垂直なベント通路と、を有する端部分と、を含む本体と、
前記グリップ部分を取り囲むラップであって、前記テーパ部分の隣接外側表面および前記端部分の隣接外側表面と実質的に同一平面である外側表面を有するラップと、を備え、
前記テーパ部分および前記端部分の各々が、前記グリップ部分の前記第１および第２の端部それぞれの近傍に、前記グリップ部分の断面積より大きい、断面積を有する、ことを特徴とするグリップ。
【請求項２】
前記穴を塞ぐように前記第２の端部で前記グリップ部分に固定されたプラグをさらに含み、空気および／または溶媒が前記第２の端部における前記穴で漏れ出すことを抑制する、請求項１に記載のグリップ。
【請求項３】
前記グリップ部分の前記穴が第１の直径を有し、前記端部分の前記穴が前記第１の直径未満の第２の直径を有する、ことを特徴とする請求項１または２に記載のグリップ。
【請求項４】
前記グリップ部分と、前記テーパ部分と、前記端部分が、１つの部品である、ことを特徴とする請求項１ないし３のいずれか一項に記載のグリップ。
【請求項５】
ゴルフクラブのグリップであって、
軸方向長さと、第１および第２の端部と、前記第１の端部における開口と、を有する細長本体と、
前記本体の前記長さに実質的に延びる前記本体内の軸方向通路であって、ゴルフクラブのシャフトが前記軸方向通路内に進められることを可能にするように、前記本体の前記第１の端部における前記開口で開いている第１の端部と、前記本体の前記第２の端部で閉じている第２の端部と、を有する通路と、
前記本体の側壁を通り前記軸方向通路内に延びる空気通路であって、前記ゴルフクラブの前記シャフトが前記軸方向通路内に進められるとき、空気が前記軸方向通路から漏れ出ることを可能にする通路と、
座ぐり内に配置され、かつ前記第２の端部に固定されたプラグであって、前記空気通路と前記軸方向通路の間の連通を塞ぐことなく、前記軸方向通路の前記第２の端部を閉じるプラグと、を含むことを特徴とするゴルフクラブのグリップ。
【請求項６】
前記空気通路が、前記本体の前記第２の端部に近接し、かつ前記軸方向通路に実質的に垂直である、ことを特徴とする請求項５に記載のゴルフクラブのグリップ。
【請求項７】
前記軸方向通路が、前記ゴルフクラブの前記シャフトの直径に実質的に等しい第１の直径を有する第１の部分と、前記第１の直径未満の第２の直径を有する第２の部分と、を含む、ことを特徴とする請求項５または６に記載のゴルフクラブのグリップ。
【請求項８】
前記細長本体が、前記軸方向通路の前記第２の端部が開いている、前記第２の端部における開口部を含み、前記プラグが前記本体の前記第２の端部を閉じる、ことを特徴とする請求項５に記載のゴルフクラブのグリップ。
【国際調査報告】
2018537228.tif 000030
2018537228.tif 000031
2018537228.tif 000032
2018537228.tif 000033